(57)【要約】【課題】内容物を取り出すときに内容物が落下しにくいブリスターパックを提供する。【解決手段】ブリスターパック１は固形の内容物Ｃを収容できるように形成された凹部１１、および、凹部１１と繋がるように凹部１１の開口１２の周囲に形成されたフランジ１４を含む容器１０と、凹部１１の開口１２が閉じられるようにフランジ１４に接合されたシート２０とを備える。ブリスターパック１はフランジ１４を、凹部１１と繋がる第１フランジ１５と、凹部１１および第１フランジ１５から分離された第２フランジ１６とに分離できるようにフランジ１４に形成された切込４０をさらに備える。【選択図】図３
2018193075.tif 000002
【特許請求の範囲】
【請求項１】
固形の内容物を収容できるように形成された凹部、および、前記凹部と繋がるように前記凹部の開口の周囲に形成されたフランジを含む容器と、
前記凹部の開口が閉じられるように前記フランジに接合されたシートと、
前記フランジを、前記凹部と繋がる第１フランジと、前記凹部および前記第１フランジから分離された第２フランジとに分離できるように前記フランジに形成された切込とを備える
ブリスターパック。
【請求項２】
前記シートは前記開口を閉鎖する蓋部と、前記フランジに接合された接合部とを含み、
前記切込は前記フランジが分離した状態において、少なくとも前記内容物を前記凹部から取り出すことができる程度に前記蓋部が前記開口を開放するように前記フランジに形成されている
請求項１に記載のブリスターパック。
【請求項３】
前記切込は前記フランジが分離した状態において、前記蓋部の一部が前記開口を閉鎖するように前記フランジに形成されている
請求項２に記載のブリスターパック。
【請求項４】
前記切込は前記開口の縁に沿う部分を含む
請求項２または３に記載のブリスターパック。
【請求項５】
前記フランジは前記開口を挟むように形成された第１縁および第２縁を含み、
前記切込は前記第１縁と前記開口の縁の第１部分との間に形成された第１切込、前記第２縁と前記開口の縁の第２部分との間に形成された第２切込、および、前記開口の縁に沿って前記第１部分と前記第２部分との間に形成された第３切込を含む
請求項４に記載のブリスターパック。
【請求項６】
前記開口の形状は楕円であり、
前記第１切込は前記第１縁と前記第１部分との間に形成された直線状の切込であり、
前記第２切込は前記第２縁と前記第２部分との間に形成された直線状の切込であり、
前記第３切込は前記開口の縁に沿って形成された円弧状の切込である
請求項５に記載のブリスターパック。
【請求項７】
前記切込は前記第１フランジと前記第２フランジとを二つ折りできるように形成されている
請求項１〜６のいずれか一項に記載のブリスターパック。
【発明の詳細な説明】
【技術分野】
【０００１】
本発明はブリスターパックに関する。
【背景技術】
【０００２】
医薬品の錠剤およびカプセル剤等を収容するブリスターパックが知られている。特許文献１は従来のブリスターパックの一例を開示している。このブリスターパックは特許文献１の図１等に示されるように、内容物を収容できるように形成されたポケット部(４)、ポケット部(４)の開口の周囲に形成されたフィルム(２)、および、ポケット部(４)の開口を閉じるようにフィルム(２)に接合されたアルミニウム箔(３)を備える。ポケット部(４)の底がアルミニウム箔(３)に向けて押された場合、薬剤(９)がアルミニウム箔(３)を突き破り、ポケット部(４)の開口が開放される。
【先行技術文献】
【特許文献】
【０００３】
【特許文献１】特開２０１６−２０４６８３号公報
【発明の概要】
【発明が解決しようとする課題】
【０００４】
従来のブリスターパックによれば、薬剤(９)がアルミニウム泊(３)を突き破ったときの勢いによりポケット部(４)から飛び出すおそれがある。
【課題を解決するための手段】
【０００５】
(１)固形の内容物を収容できるように形成された凹部、および、前記凹部と繋がるように前記凹部の開口の周囲に形成されたフランジを含む容器と、前記凹部の開口が閉じられるように前記フランジに接合されたシートと、前記フランジを、前記凹部と繋がる第１フランジと、前記凹部および前記第１フランジから分離された第２フランジとに分離できるように前記フランジに形成された切込とを備える、ブリスターパック。
上記ブリスターパックによれば、例えば次のように凹部の開口を開放できる。フランジが第１フランジと第２フランジとに分離される。次に、第１フランジが一方の手で保持され、シートが第１フランジから剥がれるように第２フランジが他方の手で動かされる。第２フランジの移動にともない、シートのうちの第１フランジと接合された部分が第１フランジから剥がれる。この手順により内容物が凹部に収容された状態で開口が開放され、内容物が凹部から取り出される。このため、内容物を取り出すときに内容物が落下しにくい。また、フランジが第１フランジと第２フランジとに分離された状態において開口が開放される場合においても、内容物が凹部に収容された状態で開口が開放されるため、内容物を取り出すときに内容物が落下しにくい。
【０００６】
(２)前記シートは前記開口を閉鎖する蓋部と、前記フランジに接合された接合部とを含み、前記切込は前記フランジが分離した状態において、少なくとも前記内容物を前記凹部から取り出すことができる程度に前記蓋部が前記開口を開放するように前記フランジに形成されている、(１)に記載のブリスターパック。
上記ブリスターパックによれば、フランジが第１フランジと第２フランジとに分離されることにより開口が開放されるため、開口を容易に開放できる。
【０００７】
(３)前記切込は前記フランジが分離した状態において、前記蓋部の一部が前記開口を閉鎖するように前記フランジに形成されている、(２)に記載のブリスターパック。
開口が開放された状態において内容物が容器から落下することが蓋部の一部により妨げられるため、内容物を取り出すときに内容物が一層落下しにくい。
【０００８】
(４)前記切込は前記開口の縁に沿う部分を含む、(２)または(３)に記載のブリスターパック。
上記ブリスターパックによれば、切込のうちの開口の縁に沿う部分と対応する第２フランジの領域が広くなるため、第２フランジを手で保持しやすい。このため、開口を容易に開放できる。
【０００９】
(５)前記フランジは前記開口を挟むように形成された第１縁および第２縁を含み、前記切込は前記第１縁と前記開口の縁の第１部分との間に形成された第１切込、前記第２縁と前記開口の縁の第２部分との間に形成された第２切込、および、前記開口の縁に沿って前記第１部分と前記第２部分との間に形成された第３切込を含む、(４)に記載のブリスターパック。
上記ブリスターパックによれば、第２フランジの端部と切込との距離が長くなるため、第２フランジの領域が広くなる。このため、第２フランジを手で保持しやすくなり、開口を容易に開放できる。
【００１０】
(６)前記開口の形状は楕円であり、前記第１切込は前記第１縁と前記第１部分との間に形成された直線状の切込であり、前記第２切込は前記第２縁と前記第２部分との間に形成された直線状の切込であり、前記第３切込は前記開口の縁に沿って形成された円弧状の切込である、(５)に記載のブリスターパック。
上記ブリスターパックによれば、フランジを分離するために第２フランジを手で動かす方向に沿うように第３切込が湾曲しているため、第１フランジと第２フランジとが第３切込に沿って分離しやすい。このため、開口を容易に開放できる。
【００１１】
(７)前記切込は前記第１フランジと前記第２フランジとを二つ折りできるように形成されている、(１)〜(６)のいずれか一項に記載のブリスターパック。
上記ブリスターパックによれば、フランジを二つ折りして第１フランジと第２フランジとに分離された状態において内容物を凹部から取り出す場合にフランジが邪魔になりにくい。
【発明の効果】
【００１２】
本発明に関するブリスターパックによれば、内容物を取り出すときに内容物が落下しにくい。
【図面の簡単な説明】
【００１３】
【図１】第１実施形態のブリスターパックの斜視図。
【図２】図１のブリスターパックの正面図。
【図３】図２のＤ３−Ｄ３線に沿う断面図。
【図４】図１のブリスターパックの背面図。
【図５】図３のフランジが分離され始めた状態を示す断面図。
【図６】図５の開口が開放された状態を示す断面図。
【図７】第２実施形態のブリスターパックの背面図。
【図８】図７のフランジが分離され始めた状態を示す断面図。
【図９】図８の開口が開放された状態を示す断面図。
【発明を実施するための形態】
【００１４】
下記各実施形態は本発明に関するブリスターパックが取り得る形態の例示であり、その形態を制限することを意図していない。本発明に関するブリスターパックは各実施形態に例示された形態とは異なる形態を取り得る。その一例は、各実施形態の構成の一部を置換、変更、または、削除した形態である。
【００１５】
(第１実施形態)
図１は内容物Ｃを収容した状態のブリスターパック１の外観である。内容物Ｃの一例は錠剤、カプセル剤、または、洗浄剤等の固形状の物体である。ブリスターパック１は容器１０、シート２０、および、複数の切込線３０を備える。
【００１６】
容器１０は例えば複数の内容物Ｃを収容できるように構成されている。容器１０は内容物Ｃを視認できるように透明または半透明の材料により構成されることが好ましい。容器１０を構成する材料の一例はポリエチレンテレフタレートである。正面視または背面視における容器１０の外郭形状は任意に選択できる。図示される例では、容器１０の外郭形状は長方形に類似する形状である。
【００１７】
容器１０は凹部１１およびフランジ１４を含む。凹部１１は内容物Ｃを収容できるように形成されている。凹部１１の数は１つまたは複数である。一例では、凹部１１の数は８つである。図１に示される例では、凹部１１は容器１０の長手方向に４つずつ、容器１０の短手方向に２つずつ並べられている。フランジ１４は凹部１１と繋がるように凹部１１の開口１２の周囲に形成されている。フランジ１４は容器１０の外郭を構成している。
【００１８】
フランジ１４の厚さ(以下「厚さＴＦ」)の最大値に関する好ましい一例は３５０μｍである。厚さＴＦの最大値に関するより好ましい一例は３００μｍである。厚さＴＦの最小値に関する好ましい一例は２００μｍである。なお、厚さＴＦは平坦な状態のフランジ１４に直交する断面上において、フランジ１４の一方の第１面１４Ａと他方の第２面１４Ｂとの距離である(図３参照)。
【００１９】
シート２０は凹部１１の開口１２が閉じられるようにフランジ１４に接合されている。シート２０を構成する材料は任意に選択できる。第１例では、シート２０を構成する材料はアルミニウムである。第２例では、シート２０を構成する材料は内容物Ｃが突き破りにくい材料である。内容物Ｃが突き破りにくい材料の一例は樹脂である。なお、内容物Ｃが突き破りにくい材料により構成された別のシートがシート２０と接合されてもよい。
【００２０】
図２に示されるように、シート２０の外郭形状は容器１０の外郭形状と実質的に同じである。シート２０は蓋部２１および接合部２２を含む。蓋部２１は開口１２を閉鎖している。蓋部２１はシート２０のうちの凹部１１と対向する部分であり、フランジ１４と接合されていない。接合部２２は蓋部２１と繋がり、フランジ１４に接合されている。シート２０とフランジ１４との接合形態は種々の形態を取り得る。第１例では、シート２０とフランジ１４との接合形態は溶着である。第２例では、シート２０とフランジ１４との接合形態は接着である。第３例では、シート２０とフランジ１４との接合形態は粘着である。一例では、接合部２２はフランジ１４に対して剥がれにくいようにフランジ１４に接合されている。
【００２１】
シート２０の層厚さ(以下「厚さＴＳ」)の最大値に関する好ましい一例は３０μｍである。厚さＴＳの最大値に関するより好ましい一例は２０μｍである。厚さＴＳの最小値に関する好ましい一例は６μｍである。なお、厚さＴＳは平坦な状態のシート２０に直交する断面上において、シート２０の一方の第１面２０Ａと他方の第２面２０Ｂとの距離である(図３参照)。
【００２２】
図１に示される複数の切込線３０はブリスターパック１を分割できるようにフランジ１４に形成されている。図１に示される例では、複数の切込線３０は２つの内容物Ｃを１組のセット(以下「１組セット」)としてブリスターパック１を分割できるようにフランジ１４に形成されている。切込線３０は例えば容器１０の短手方向に延びている。一例では、切込線３０を用いてブリスターパック１が分割され、１組セットに分割されたブリスターパック１が形成される(図４参照)。切込線３０の数は容器１０に収容される内容物Ｃの数によって任意に変更される。ブリスターパック１は例えば容器１０の短手方向の中心線に対して線対称の関係を有する。
【００２３】
図３に示されるように、ブリスターパック１は切込４０をさらに備える。切込４０はフランジ１４を、凹部１１と繋がる第１フランジ１５と、凹部１１および第１フランジ１５から分離された第２フランジ１６とに分離できるようにフランジ１４に形成されている。第１フランジ１５はフランジ１４のうちの切込４０よりも中心側の部分である。第２フランジ１６はフランジ１４のうちの切込４０よりも外側の部分である。一例では、第１フランジ１５が一方の手で保持され、第２フランジ１６が他方の手でシート２０側に向けて引っ張られることにより、フランジ１４が第１フランジ１５と第２フランジ１６とに分離される。
【００２４】
フランジ１４は第１面１４Ａおよび第２面１４Ｂを含む。第１面１４Ａはシート２０が接合された面である。第２面１４Ｂは第１面１４Ａとは反対側の面である。切込４０はフランジ１４を貫通しないように第１面１４Ａ側または第２面１４Ｂ側に形成されている。図３に示される例では、切込４０は第２面１４Ｂ側に形成されている。
【００２５】
フランジ１４の最大の厚さＴＦに対する切込４０の最大の深さＨＡの割合(以下「切込率ＰＡ」)は、フランジ１４の分離のしやすさ(以下「フランジ１４の分離性」)、および、外力に対するフランジ１４の強度との関係から決められることが好ましい。切込率ＰＡを求める式は「ＰＡ＝(ＨＡ／ＴＦ)×１００」である。
【００２６】
切込率ＰＡの最大値に関する好ましい一例は９０％である。切込率ＰＡの最大値に関するより好ましい一例は８０％である。切込率ＰＡが９０％以下である場合、外力に対するフランジ１４の強度が高められる。切込率ＰＡが８０％以下である場合、外力に対するフランジ１４の強度が一層高められる。切込率ＰＡの最小値に関する好ましい一例は５０％である。切込率ＰＡの最小値に関するより好ましい一例は６０％である。切込率ＰＡが５０％以上である場合、フランジ１４の分離性が高められる。切込率ＰＡが６０％以上である場合、フランジ１４の分離性が一層高められる。
【００２７】
図４は１組セットに分割されたブリスターパック１の背面を示す。切込４０は例えばフランジ１４が分離した状態において、少なくとも内容物Ｃを凹部１１から取り出すことができる程度に蓋部２１が開口１２を開放するようにフランジ１４に形成されている。この構成では、フランジ１４が第１フランジ１５と第２フランジ１６とに分離されることにより開口１２が開放されるため、開口１２を容易に開放できる。
【００２８】
切込４０は第１フランジ１５と第２フランジ１６とを二つ折りできるように形成されている。この構成では、フランジ１４を二つ折りして第１フランジ１５と第２フランジ１６とに分離された状態において内容物Ｃを凹部１１から取り出す場合にフランジ１４が邪魔になりにくい。また、切込４０は例えばフランジ１４が分離した状態において、蓋部２１の一部が開口１２を閉鎖するようにフランジ１４に形成されている。
【００２９】
フランジ１４は第１縁１４Ｃおよび第２縁１４Ｄをさらに含む。第１縁１４Ｃおよび第２縁１４Ｄは開口１２を挟むように形成されている。切込４０は第１縁１４Ｃと第２縁１４Ｄとを繋げている。開口１２の形状は楕円である。楕円は円または円に類似する形状を含む。図４に示される例では、開口１２の形状は円である。
【００３０】
切込４０は開口１２の縁１３に沿う部分を含む。具体的には、切込４０は第１切込４１、第２切込４２、および、第３切込４３を含む。第１切込４１は第１縁１４Ｃと開口１２の縁１３の第１部分１３Ａとの間に形成されている。第１部分１３Ａは開口１２の縁１３のうちの第１縁１４Ｃ側の部分を含む。一例では、第１切込４１は第１縁１４Ｃと第１部分１３Ａとの間に形成された直線状の切込である。図４に示される例では、第１切込４１は第１縁１４Ｃに対して垂直に延びている。第２切込４２は第２縁１４Ｄと開口１２の縁１３の第２部分１３Ｂとの間に形成されている。第２部分１３Ｂは開口１２の縁１３のうちの第２縁１４Ｄ側の部分を含む。一例では、第２切込４２は第２縁１４Ｄと第２部分１３Ｂとの間に形成された直線状の切込である。図４に示される例では、第２切込４２は第２縁１４Ｄに対して垂直に延びている。
【００３１】
第３切込４３は開口１２の縁１３に沿って第１部分１３Ａと第２部分１３Ｂとの間に形成されている。一例では、第３切込４３は開口１２の縁１３に沿って形成された円弧状の切込である。この構成では、第２フランジ１６の端部１６Ａと切込４０との距離が長くなるため、第２フランジ１６の領域が広くなる。このため、第２フランジ１６を手で保持しやすくなり、開口１２を容易に開放できる。また、フランジ１４を分離するために第２フランジ１６を手で動かす方向に沿うように第３切込４３が湾曲しているため、第１フランジ１５と第２フランジ１６とが第３切込４３に沿って分離しやすい。このため、開口１２を一層容易に開放できる。
【００３２】
第３切込４３の中心角Ａは蓋部２１により開放される開口１２の面積と、内容物Ｃの大きさとの関係によって決められることが好ましい。第３切込４３の中心角Ａは、開口１２の中心と第３切込４３の一方の端部とを繋ぐ仮想線Ｌ１と、開口１２の中心と第３切込４３の他方の端部とを繋ぐ仮想線Ｌ２とがなす円弧の角度である。開口１２の中心は円弧状の第３切込４３の中心と同軸である。第３切込４３の中心角Ａの最大値に関する好ましい一例は２７０度である。第３切込４３の中心角Ａの最大値に関するより好ましい一例は２４０度である。第３切込４３の中心角Ａの最小値に関する好ましい一例は１８０度である。第３切込４３の中心角Ａの最小値に関するより好ましい一例は２１０度である。
【００３３】
図５および図６を参照して、ブリスターパック１の使用方法について説明する。
ブリスターパック１は例えば内容物Ｃとして錠剤を収容した状態で流通している。その錠剤を必要とするブリスターパック１のユーザには高齢者が含まれる。ブリスターパック１は例えばユーザにより次のように使用される。第１手順では、切込線３０を用いてブリスターパック１が１組セットに分割される。第２手順では、図５に示されるように、第２フランジ１６が第１フランジ１５に対してシート２０側に引っ張られる。具体的には、第１フランジ１５が一方の手で保持され、第２フランジ１６が他方の手でシート２０側に向けて引っ張られる。これにより、フランジ１４が第１フランジ１５と第２フランジ１６とに分離し始める。そして、図６に示されるように、第１フランジ１５と第２フランジ１６とが切込４０に沿って分離し、内容物Ｃが凹部１１に収容された状態で開口１２が開放される。第３手順では、内容物Ｃが凹部１１から取り出される。
【００３４】
ブリスターパック１によれば、内容物Ｃが凹部１１に収容された状態で開口１２が開放されるため、内容物Ｃを取り出すときに内容物Ｃが落下しにくい。また、開口１２が開放された状態で蓋部２１の一部が開口１２を閉鎖しているため、内容物Ｃが容器１０から落下することが蓋部２１の一部により妨げられる。このため、内容物Ｃを取り出すときに内容物Ｃが一層落下しにくい。
【００３５】
また、第１フランジ１５と第２フランジ１６とを相対的に動かすことによりフランジ１４が第１フランジ１５と第２フランジ１６とに分離されるため、ブリスターパック１を使用するユーザが力の弱い高齢者等であっても開口１２を容易に開放できる。また、フランジ１４が分離された場合にシート２０がフランジ１４と接合している状態が維持されやすいため、ユーザが内容物Ｃとともにシート２０を誤飲することが抑制される。
【００３６】
(第２実施形態)
第２実施形態のブリスターパック１は、以下に説明する点において第１実施形態のブリスターパック１と相違し、その他の点において第１実施形態のブリスターパック１と実質的に同じ構成を備える。
【００３７】
図７は１組セットに分割されたブリスターパック１の背面を示す。第２実施形態のブリスターパック１は、第１実施形態の切込４０に代えて切込５０を備える。切込５０はフランジ１４を、凹部１１と繋がる第１フランジ１５と、凹部１１および第１フランジ１５から分離された第２フランジ１６とに分離できるようにフランジ１４に形成されている。図７に示される例では、切込５０はフランジ１４の第２面１４Ｂ側に形成されている。フランジ１４の最大の厚さＴＦに対する切込５０の最大の深さＨＢの割合(以下「切込率ＰＢ」)は切込率ＰＡと実質的に同じである。切込率ＰＢを求める式は「ＰＢ＝(ＨＢ／ＴＦ)×１００」である。
【００３８】
切込５０はフランジ１４において、第２フランジ１６の端部１６Ａと開口１２の縁１３との間に形成されている。フランジ１４に対する切込５０の配置は任意に選択できる。第１例では、切込５０は第１縁１４Ｃと第２縁１４Ｄとを繋げている。第２例では、切込５０は第２フランジ１６の端部１６Ａと第１縁１４Ｃまたは第２縁１４Ｄとを繋げている。図７に示される例では、切込５０は開口１２の縁１３と接するように第１縁１４Ｃと第２縁１４Ｄとを繋げている。切込５０は例えば第１縁１４Ｃおよび第２縁１４Ｄに対して垂直に延びている。
【００３９】
シート２０の接合部２２はフランジ１４に対して剥がれやすいようにフランジ１４に接合されている。具体的には、接合部２２はユーザの力が作用した場合にフランジ１４から剥がれるようにフランジ１４に接合されている。一例では、シート２０とフランジ１４との接合形態は粘着である。
【００４０】
図８および図９を参照して、ブリスターパック１の使用方法について説明する。
ブリスターパック１は例えばユーザにより次のように使用される。第１手順では、切込線３０を用いてブリスターパック１が１組セットに分割される。第２手順では、図８に示されるように、第２フランジ１６が第１フランジ１５に対してシート２０側に引っ張られる。具体的には、第１フランジ１５が一方の手で保持され、第２フランジ１６が他方の手でシート２０側に向けて引っ張られる。これにより、フランジ１４が第１フランジ１５と第２フランジ１６とに分離される。
【００４１】
第３手順では、図９に示されるように、開口１２が開放されるようにシート２０が第１フランジ１５から剥がされる。具体的には、第１フランジ１５が一方の手で保持され、シート２０が第１フランジ１５から剥がれるように第２フランジ１６が他方の手で動かされる。第２フランジ１６の移動にともない、接合部２２が第１フランジ１５から剥がれる。この手順により、内容物Ｃが凹部１１に収容された状態で開口１２が開放される。第４手順では、内容物Ｃが凹部１１から取り出される。ブリスターパック１によれば、内容物Ｃが凹部１１に収容された状態で開口１２が開放されるため、内容物Ｃを取り出すときに内容物Ｃが落下しにくい。
【符号の説明】
【００４２】
１      ：ブリスターパック
１０    ：容器
１１    ：凹部
１２    ：開口
１３    ：縁
１３Ａ  ：第１部分
１３Ｂ  ：第２部分
１４    ：フランジ
１４Ｃ  ：第１縁
１４Ｄ  ：第２縁
１５    ：第１フランジ
１６    ：第２フランジ
２０    ：シート
２１    ：蓋部
２２    ：接合部
４０    ：切込
４１    ：第１切込
４２    ：第２切込
４３    ：第３切込
５０    ：切込
Ｃ      ：内容物
【図１】
2018193075.tif 000003
【図２】
2018193075.tif 000004
【図３】
2018193075.tif 000005
【図４】
2018193075.tif 000006
【図５】
2018193075.tif 000007
【図６】
2018193075.tif 000008
【図７】
2018193075.tif 000009
【図８】
2018193075.tif 000010
【図９】
2018193075.tif 000011